(57)【要約】 【課題】  簡単な構成で、フレキシブル基板の傷つきを防止することのできる光ピックアップ装置を提供する。【解決手段】  光ピックアップ装置１０において、光ピックアップ部１１が設けられるハウジング１３のフレキシブル基板１２を臨む面１５には、フレキシブル基板が、ハウジングのフレキシブル基板を臨む面１５に摺接することを防止する摺接防止部材１６が設けられる。一方フレキシブル基板は、一端部１４がハウジングに装着され、ハウジングの前記面１５を臨んで引き回されるように設けられる。摺接防止部材を設けることによって、フレキシブル基板のハウジングを臨む面２３とハウジングの前記面１５との間隔Ｇが確実に保持され、フレキシブル基板の前記面２３が、ハウジングの前記面１５によって擦過されることがないので、フレキシブル基板の前記面２３の傷つきが防止される。【選択図】      図１
2005038534.tif 000002
【特許請求の範囲】
【請求項１】
光を用いて光記録媒体または光磁気記録媒体に対して情報の記録、再生および消去のうち少なくとも１つを行う光ピックアップ装置において、
光を出射する光源と、光源から出射された光を光記録媒体または光磁気記録媒体に集光する光学部材と、光記録媒体または光磁気記録媒体によって反射された反射光を受光する受光素子を備える光ピックアップ部が設けられるハウジングと、
一端部がハウジングに装着され、ハウジングの一つの面を臨んで引き回されるように設けられるフレキシブル基板とを含み、
ハウジングのフレキシブル基板を臨む面には、フレキシブル基板が、ハウジングのフレキシブル基板を臨む面に摺接することを防止する摺接防止部材が設けられることを特徴とする光ピックアップ装置。
【請求項２】
前記摺接防止部材は、
ハウジングのフレキシブル基板を臨む面から突出して突起状に１個または複数個が形成されることを特徴とする請求項１記載の光ピックアップ装置。
【請求項３】
前記摺接防止部材は、
突起状の形状が半球であり、樹脂製接着剤からなることを特徴とする請求項２記載の光ピックアップ装置。
【請求項４】
前記ハウジングと前記摺接防止部材とが、
一体的な部材として形成されることを特徴とする請求項１〜３のいずれかに記載の光ピックアップ装置。
【請求項５】
前記フレキシブル基板の前記摺接防止部材と当接する部分には、
導電接続に用いられることのない配線パターンである予備パターンが形成されることを特徴とする請求項１〜４のいずれかに記載の光ピックアップ装置。
【発明の詳細な説明】
【技術分野】
【０００１】
本発明は、光を用いて光記録媒体または光磁気記録媒体に対して情報の記録、再生および消去のうち少なくとも１つを行う光ピックアップ装置に関する。
【背景技術】
【０００２】
光ピックアップ装置には、レーザ光を出射する光源と、光源から出射されたレーザ光を光記録媒体または光磁気記録媒体に対して集光する光学部材とを備える光ピックアップ部が含まれる。また光ピックアップ部は、光記録媒体または光磁気記録媒体（以後、光ディスクと総称することがある）の情報記録面によって反射された反射光を受光し、再生信号や動作制御信号を得るための受光素子も備える。このような光ピックアップ部は、光ディスクに形成されるトラックに追随する動作であるトラッキングが可能なように、光ピックアップ装置に設けられる駆動部によって移動することができるように構成される。
【０００３】
したがって、光ピックアップ装置では、光ピックアップ部の光源に電力を供給し、また受光素子によって検出した信号を伝送するための配線が必要とされる。しかしながら、前述のように光ピックアップ部が移動可能に構成されるので、固定配線では光ピックアップ部の移動に伴って負荷される応力によって損壊する恐れがあることから、配線は光ピックアップ部の移動に追随できるように構成される必要がある。また、光ピックアップ装置の小型化に伴って、配線に許容される空間が狭小化していることもあり、光ピックアップ部に電力供給する配線には、可撓性を有する素材からなる基板上に配線パターンをプリントしたフレキシブル基板が用いられている（たとえば、特許文献１参照）。
【０００４】
図４は、従来の光ピックアップ部１に対するフレキシブル基板２による配線の状態を示す図である。光ピックアップ部１を構成する前述の光源や光学部材などは、ハウジング３に収容される。光ピックアップ部１に電力を供給するために用いられるフレキシブル基板２は、その一端部４がハウジング３に装着され、その他端部５が、ハウジング３の光ディスクを臨む面６の反対側の面７を臨むようにして引き回され、たとえば光ピックアップ装置の装置本体に設けられる接続端子に接続される。
【０００５】
光ピックアップ装置が搭載されるたとえば携帯型のパーソナルコンピュータ、いわゆるノートパソコンでは、携帯の利便性を高めるために一層の薄型化が進められているので、これに伴い前述したように光ピックアップ装置も小型化が促されている。したがって、ハウジング３の前記反対側の面７と、フレキシブル基板２とによって形成される間隙Ｇが一層狭くなる傾向にある。
【０００６】
光ピックアップ部１を収容するハウジング３は、トラッキング動作時に光ディスクの半径方向に移動するので、この移動に伴ってハウジング３の前記反対側の面７とフレキシブル基板２との相対位置が変化する。この相対位置が変化するとき、フレキシブル基板２とハウジング３の前記反対側の面７とによって形成される間隙Ｇが狭いので、フレキシブル基板２の表面がハウジング３によって擦過されることがある。ハウジング３は、たとえばアルミニウム合金などの金属製であり、一方フレキシブル基板２は、たとえば樹脂フィルムなどの上に銅からなる配線パターンがプリントされた軟質部材なので、フレキシブル基板２の表面がハウジング３で擦過されることによって、フレキシブル基板２が傷つくことがある。
【０００７】
フレキシブル基板２、特にフレキシブル基板２上の配線パターンが傷つくことによって、光ピックアップ部１に対する電力供給に支障を来たし、光ピックアップ部１が動作不良に陥るので、フレキシブル基板２を配線に用いる光ピックアップ装置において、フレキシブル基板２の傷つきを防止することが望まれている。
【０００８】
【特許文献１】特開平１０−１８８２９７号公報
【発明の開示】
【発明が解決しようとする課題】
【０００９】
本発明の目的は、簡単な構成で、フレキシブル基板の傷つきを防止することのできる光ピックアップ装置を提供することである。
【課題を解決するための手段】
【００１０】
本発明は、光を用いて光記録媒体または光磁気記録媒体に対して情報の記録、再生および消去のうち少なくとも１つを行う光ピックアップ装置において、
光を出射する光源と、光源から出射された光を光記録媒体または光磁気記録媒体に集光する光学部材と、光記録媒体または光磁気記録媒体によって反射された反射光を受光する受光素子を備える光ピックアップ部が設けられるハウジングと、
一端部がハウジングに装着され、ハウジングの一つの面を臨んで引き回されるように設けられるフレキシブル基板とを含み、
ハウジングのフレキシブル基板を臨む面には、フレキシブル基板が、ハウジングのフレキシブル基板を臨む面に摺接することを防止する摺接防止部材が設けられることを特徴とする光ピックアップ装置である。
【００１１】
また本発明は、前記摺接防止部材は、
ハウジングのフレキシブル基板を臨む面から突出して突起状に１個または複数個が形成されることを特徴とする。
【００１２】
また本発明は、前記摺接防止部材は、
突起状の形状が半球であり、樹脂製接着剤からなることを特徴とする。
【００１３】
また本発明は、前記ハウジングと前記摺接防止部材とが、
一体的な部材として形成されることを特徴とする。
【００１４】
また本発明は、前記フレキシブル基板の前記摺接防止部材と当接する部分には、
導電接続に用いられることのない配線パターンである予備パターンが形成されることを特徴とする。
【発明の効果】
【００１５】
本発明によれば、光ピックアップ装置に備わるハウジングのフレキシブル基板を臨む面には、フレキシブル基板が、ハウジングのフレキシブル基板を臨む面に摺接することを防止する摺接防止部材が設けられる。このように摺接防止部材が設けられることによって、光ピックアップ部の設けられるハウジングが、トラッキング動作などで移動するとき、フレキシブル基板は、ハウジングに対して摺動するのではなく、摺接防止部材に対して摺動するので、ハウジングとの擦過によって傷つくことが防止される。
【００１６】
また本発明によれば、摺接防止部材は、ハウジングのフレキシブル基板を臨む面に突起状、好ましくは樹脂製接着剤からなり半球状に１個または複数個が形成される。このように摺接防止部材のフレキシブル基板と当接する部分の面積を小さく抑えるとともに、軟質素材で形成することによって、摺接防止部材に対して摺動するフレキシブル基板のさらなる傷つき防止を実現することができる。
【００１７】
また本発明によれば、ハウジングと摺接防止部材とが、一体的な部材として形成されるので、装置組立時における取扱部品数が削減され、生産効率を向上することができる。
【００１８】
また本発明によれば、フレキシブル基板の摺接防止部材と当接する部分には、導電接続に用いられることのない配線パターンである予備パターンが形成されるので、仮に摺接防止部材の擦過によってフレキシブル基板に損傷が発生した場合であっても、損傷が予備パターン部分に限られ、光ピックアップ部への電力供給に支障を来たすことがない。
【発明を実施するための最良の形態】
【００１９】
図１は、本発明の実施の一形態である光ピックアップ装置１０に備わる光ピックアップ部１１に対するフレキシブル基板１２による配線の状態を示す図である。図１（ａ）の配線状態は、光ピックアップ装置１０に光ディスクを装着する側と反対側、すなわち装置の底面側から見た底面図であり、図１（ｂ）はその正面図であり、図１（ｃ）はその右側面図である。本実施の形態の光ピックアップ装置１０は、光を用いて光ディスクと呼ぶ光記録媒体または光磁気記録媒体に対して情報の記録、再生および消去のうち少なくとも１つを行うことができる。
【００２０】
光ピックアップ装置１０は、光を出射する光源と、光源から出射された光を光ディスクに集光する光学部材と、光記録媒体または光磁気記録媒体によって反射された反射光を受光する受光素子とを備える光ピックアップ部１１が設けられるハウジング１３と、一端部１４がハウジング１３に装着され、ハウジング１３の一つの面１５を臨んで引き回されるように設けられるフレキシブル基板１２とを含む。ハウジング１３のフレキシブル基板１２を臨む面１５には、フレキシブル基板１２が、ハウジング１３のフレキシブル基板１２を臨む面１５に摺接することを防止する摺接防止部材１６が設けられる。
【００２１】
光ピックアップ部１１に備わる光源は、たとえばレーザ光を放射することのできる半導体レーザである。また光学部材は、光源から放射されたレーザ光を平行にするコリメータレンズ、レーザ光を反射して光路を曲げる立上げミラー、光ディスクの情報記録面にレーザ光を集光する対物レンズなどを含んで構成される。また受光素子は、たとえばフォトダイオードからなる光電変換素子であり、前述の反射光を検出することによって、情報再生信号やトラッキング、フォーカシングの制御信号を得る。本実施の形態では、光ピックアップ部１１が、ハウジング１３に収容されるようにして設けられる。したがって、光ピックアップ部１１については、詳細な図示を省略する。
【００２２】
光ピックアップ部１１が収容されるハウジング１３は、たとえばアルミニウム合金製である。ハウジング１３には、一端部１７付近に貫通孔１９が形成され、他端部１８に溝２０が形成される。貫通孔１９には、不図示の軸棒が挿通され、軸棒が光ピックアップ装置の装置本体に固設され、また貫通孔１９に挿通される軸棒の延びる方向と平行になるようにもう一つの軸棒が設けられ、もう一つの軸棒は溝２０に当接するようにして装置本体に固設される。貫通孔１９および溝２０と各軸棒とは、摺動可能であり、装置本体に設けられる駆動部による駆動力がハウジング１３に伝達されることによって、ハウジング１３は、軸棒の延びる方向である矢符２１方向に進退自在に移動することができる。このことによって、ハウジング１３に設けられる光ピックアップ部１１がトラッキング動作可能になる。
【００２３】
フレキシブル基板１２は、可撓性のあるたとえばポリイミドなどの樹脂フィルム上に、銅（Ｃｕ）やアルミニウム（Ａｌ）などからなる薄い導電層をフォトリソグラフィなどによって形成した配線パターンを有する導電接続部材である。フレキシブル基板１２は、前述のようにその一端部１４がハウジング１３に装着され、フレキシブル基板１２の配線パターン部が、光ピックアップ部１１の光源や受光素子に対して電気的に接続される。フレキシブル基板１２の他端部２２は、ハウジング１３の一つの面１５を臨んで通過し、装置本体に設けられる接続端子に接続される。この接続端子には、電源に通じる配線や受光素子から伝送される信号に応答して光ピックアップ部１１の動作を制御する制御手段に通じる配線などが、設けられている。
【００２４】
本実施の形態の摺接防止部材１６は、直方体形状を有し、ハウジング１３のフレキシブル基板１２を臨む面１５上に、ハウジング１３の移動方向である矢符２１方向に直交する方向に前記直方体の長手方向が延びるように設けられる。摺接防止部材１６には、アクリル樹脂などの紫外線硬化樹脂が好適に用いられる。摺接防止部材１６は、ハウジング１３の前記面１５上に、硬化前のアクリル樹脂を前述のように供給し、その後紫外線硬化させることによって形成される。また摺接防止部材１６は、硬化前のアクリル樹脂の供給ステップと、紫外線硬化のステップとを繰返し実行して積層することによって形成されてもよい。
【００２５】
このように構成される光ピックアップ装置１０では、トラッキングのためにハウジング１３が矢符２１方向に進退するとき、ハウジング１３が、フレキシブル基板１２のハウジング１３を臨む面２３に対しても相対移動するけれども、摺接防止部材１６が、ハウジング１３のフレキシブル基板１２を臨む面１５上に設けられているので、フレキシブル基板１２のハウジング１３を臨む面２３とハウジング１３の前記面１５との間隙Ｇが充分に保たれ、フレキシブル基板１２の前記面２３がハウジング１３の前記面１５に対して摺接することがない。すなわち、フレキシブル基板１２の前記面２３が、硬質素材からなるハウジング１３の前記面１５によって直接擦過されることがないので、フレキシブル基板１２の前記面２３が傷つくことを防止できる。なおフレキシブル基板１２の前記面２３は、摺接防止部材１６と摺接するけれども、摺接防止部材１６が、たとえばアクリル樹脂であり、ハウジング１３に比較して軟質なので、摺接防止部材１６によって擦過されてもすり傷等を生じることがない。
【００２６】
図２は、本発明の実施の第２の形態である光ピックアップ装置３０に備わる光ピックアップ部１１に対するフレキシブル基板１２による配線の状態を示す図である。本実施の形態の光ピックアップ装置３０は、実施の第１形態の光ピックアップ装置１０に類似し、対応する部分については同一の参照符号を付して説明を省略する。
【００２７】
光ピックアップ装置３０において注目すべきは、摺接防止部材３１ａ，３１ｂが、矢符２１方向に直交する方向に並んで２個設けられ、摺接防止部材３１ａ，３１ｂは、紫外線硬化型のアクリル樹脂製接着剤からなり、ハウジング１３のフレキシブル基板１２を臨む面１５から突出して半球状に形成されることである。このような形状の摺接防止部材３１ａ，３１ｂは、比較的粘度の高い状態の硬化前アクリル樹脂を、ハウジング１３の前記面１５上の所定位置に滴下し、その表面張力を利用して半球状の形状に至ったとき、紫外線を照射して硬化することによって実現することができる。
【００２８】
このような摺接防止部材３１ａ，３１ｂでは、前記間隙Ｇが確実に保持されるばかりでなく、フレキシブル基板１２のハウジング１３を臨む面２３に当接する面積が小さく抑えられ、またフレキシブル基板１２の前記面２３に当接する部分が曲面で構成されるので、フレキシブル基板１２の前記面２３と、摺接防止部材３１ａ，３１ｂのフレキシブル基板１２に対する当接部分との摩擦力が一層軽減される。したがって、フレキシブル基板１２における傷発生防止が一層確実に実現される。
【００２９】
なお、このような摺接防止部材３１ａ，３１ｂは、紫外線硬化性樹脂に限定されることなく、たとえば熱可塑性樹脂を用いることもできる。さらに熱可塑性樹脂を用い、ハウジング１３と摺接防止部材３１ａ，３１ｂとを一体的な部材として成形してもよい。このような金属製のハウジング１３と、熱可塑性樹脂製の摺接防止部材３１ａ，３１ｂとを一体的な部材とする成形は、異種材料を用いて同時に成形することのできるインサート成形によって実現できる。このように、ハウジング１３と摺接防止部材３１ａ，３１ｂとを一体的な部材とすることによって、部材その物の製作の効率を向上できるとともに、装置組立時における取扱部品数が削減されるので、生産効率を向上することができる。
【００３０】
図３は、本発明の実施の第３形態である光ピックアップ装置３５に備わる光ピックアップ部１１に対するフレキシブル基板３６による配線の状態を示す図である。本実施の形態の光ピックアップ装置３５は、実施の第２形態の光ピックアップ装置３０に類似し、対応する部分については同一の参照符号を付して説明を省略する。
【００３１】
光ピックアップ装置３５において注目すべきは、フレキシブル基板３６の摺接防止部材３１ａ，３１ｂと当接する部分には、導電接続に用いられることのない配線パターンである予備パターン３７ａ，３７ｂが形成されることである。
【００３２】
前述したように、フレキシブル基板３６は、樹脂フィルム３８上に、複数本のＣｕ導電層をフォトリソグラフィなどによって形成した配線パターン３９を有する。本実施の形態のフレキシブル基板３６は、さらに樹脂フィルム３８の表面上にハウジング１３の移動方向と平行方向に延びて前記予備パターン３７ａ，３７ｂが形成される。この予備パターン３７ａ，３７ｂの素材は、配線パターン３９素材のＣｕのように導電性を有するものに限定されることがなく、摺接防止部材３１ａ，３１ｂとの当接および摺動部分に形成されるので、樹脂フィルム３８の耐磨耗性を向上することのできる素材であればよい。
【００３３】
このように構成される光ピックアップ装置３５では、仮に摺接防止部材３１ａ，３１ｂの擦過によってフレキシブル基板３６に損傷が発生した場合であっても、損傷が導電接続に使用されることのない予備パターン３７ａ，３７ｂ部分に限られ、配線パターン３９は健全に保たれるので、光ピックアップ部１１への電力供給や信号の伝送に支障を来たすことがない。
【図面の簡単な説明】
【００３４】
【図１】本発明の実施の一形態である光ピックアップ装置１０に備わる光ピックアップ部１１に対するフレキシブル基板１２による配線の状態を示す図である。
【図２】本発明の実施の第２の形態である光ピックアップ装置３０に備わる光ピックアップ部１１に対するフレキシブル基板１２による配線の状態を示す図である。
【図３】本発明の実施の第３形態である光ピックアップ装置３５に備わる光ピックアップ部１１に対するフレキシブル基板３６による配線の状態を示す図である。
【図４】従来の光ピックアップ部１に対するフレキシブル基板２による配線の状態を示す図である。
【符号の説明】
【００３５】
１０，３０，３５  光ピックアップ装置
１１  光ピックアップ部
１２，３６  フレキシブル基板
１３  ハウジング
１６，３１ａ，３１ｂ  摺接防止部材
１９  貫通孔
２０  溝
３７  予備パターン
３８  樹脂フィルム
３９  配線パターン
【図１】
2005038534.tif 000003
【図２】
2005038534.tif 000004
【図３】
2005038534.tif 000005
【図４】
2005038534.tif 000006